(57)【要約】【課題】外径の大きい電池（単２形）を収納する電池ケースに小さい電池（単３形）を、アダプタ不要でかつ位置ずれを生じずに収納する。【解決手段】保持板３は支軸９を軸にしてスプリング４で斜め上方に付勢されている。蓋２を開けて単２形電池７を箱体１内に挿着すれば、保持板３は電池７の重みと蓋の押圧でスプリング４が縮んで底部に押下げられる。＋−電極は両側の接触端子５に夫々接触する。単３形電池８は電極が接触端子６に接触する上部コーナー部の位置に挿着し、蓋２を被せると、保持板３はスプリング４で付勢されて電池８を押上げ、前記コーナー部に保持するので、電池ケースをどのような向きにしても電池８の電極は接触端子６から外れない。【選択図】  図１
2004172022.tif 000002
【特許請求の範囲】
【請求項１】
軸長が略同一で外径寸法の異なる二種類の電池が択一的に収納可能な電池ケースであって、前記電池を水平にして出し入れ可能な開放口を備えた有底状の箱体と、前記開放口を覆う蓋と、前記箱体の一方の内部側面の底部に回動自在に軸支された保持板と、同保持板を前記開放口に向けて付勢するスプリングと、二種類の前記電池の電極とそれぞれ対応し、前記箱体の内部側面に具備された接触端子とで構成され、外径寸法の大きい方の電池が収納された場合は、同電池の側面が前記蓋と前記箱体の内部両側面と前記保持板とに当接して保持され、外径寸法の小さい方の電池が収納された場合は、同電池の側面が前記蓋と前記箱体の前記保持板が軸支された側の内部側面と前記保持板とに当接して保持されてなることを特徴とする電池ケース。
【請求項２】
軸長が略同一で外径寸法の異なる二種類の電池が択一的に収納可能な電池ケースであって、前記電池を水平にして出し入れ可能な開放口を備えた有底状の箱体と、前記開放口を覆う蓋と、前記箱体の一方の内部側面に回動自在に軸支された逆Ｌ字形のガイド板と、二種類の前記電池の電極とそれぞれ対応し、前記箱体の内部側面に具備された接触端子とで構成され、外径寸法の大きい方の電池が収納された場合は、同電池の側面が前記蓋と前記箱体の内部側面に平行の位置に回動させた前記ガイド板と同ガイド板の軸支側の側面に対向する内部側面とに当接して保持され、外径寸法の小さい方の電池が収納された場合は、同電池の側面が略直角に回動された前記逆Ｌ字形のガイド板の内側の二辺と前記箱体の底面とに当接して保持されてなることを特徴とする電池ケース。
【請求項３】
前記ガイド板は、同ガイド板を軸支する内部側面と直角の位置に回動されたとき先端部が前記箱体の対向する内部側面に当接する長さに形成すると共に、前記内部側面の同先端部が当接する位置に凹部を形成し、同ガイド板が回動されたとき同ガイド板の先端部が前記凹部で係止されるようにしてなることを特徴とする請求項２記載の電池ケース。
【発明の詳細な説明】
【０００１】
【発明の属する技術分野】
本発明は電池ケースに係わり、軸長が略同一で外径寸法の異なる二種類の電池を択一的に収納可能なものに関する。
【０００２】
【従来の技術】
通常、電池ケースは収納する電池の外径寸法に合わせて収納部を形成しているため、外径寸法の異なる電池は収納できず、例えば、緊急時に手元に同じ外径寸法の電池がない場合は使用できない。このため、外径寸法の違う電池でも収納できるようにしたものがある。例えば、図３に示すように、電池ケースの箱体２１の内径を外径の大きい電池７（単２形）の収納が可能な寸法とし、これより外径の小さい電池８（単３形）を収納するため箱体２１の底部に上下に移動可能な底板２３をスプリング２４を介して設け、（イ）のように、大きい電池７を収納する場合は電池７で底板を押下げ、箱体２１の上面開放口を蓋２２で押さえて電池７を収納し、（ロ）に示すように、外径の小さい電池８の場合はスプリング２４で底板２３が押上げられ、この底板２３と箱体の蓋２２とで電池８が挟まれることにより電池８が保持されるようにしたものがある（例えば、特許文献１参照）。
しかし、この場合、電池ケースを横にしたとき外径の小さい電池８はその重量によって横にずれ、電池８の電極が接触端子からはずれる可能性があった。
また、電池ケースを、外径の大きい電池がすっぽり入る内径寸法の円筒形状とし、図４に示す如く、外径寸法ａが外径の大きい電池と同じ寸法で内径寸法ｂを外径の小さい電池の外径に合わせた円筒状のアダプタ３１を設け、小さい電池の場合は電池をアダプタ３１に挿着して電池ケースに収納するようにしたものがあるが（例えば、特許文献２参照）、この場合、アダプタ３１を具備し保管しておかなければならず、アダプタ３１を紛失したり保管場所がわからない等の場合に用をなさないという問題があった。
【０００３】
【特許文献１】
特開平１１−２０４０９１号公報（第３−４頁、図１）
【特許文献２】
特開平９−１３４７１３号公報（第２−３頁、図１（ｃ），（ｄ）  ）
【０００４】
【発明が解決しようとする課題】
本発明は以上述べた問題点を解決し、外径寸法の小さい方の電池を収納する場合に電池ケースをいかなる方向に向けても収納した電池が横にずれて電極が接触端子から外れることがなく、またはアダプタを用いることなく外径の小さい電池を収納できる電池ケースを提供することを目的とする。
【０００５】
【課題を解決するための手段】
本発明は上述の課題を解決するため、軸長が略同一で外径寸法の異なる二種類の電池が択一的に収納可能な電池ケースであって、前記電池を水平にして出し入れ可能な開放口を備えた有底状の箱体と、前記開放口を覆う蓋と、前記箱体の一方の内部側面の底部に回動自在に軸支された保持板と、同保持板を前記開放口に向けて付勢するスプリングと、二種類の前記電池の電極とそれぞれ対応し、前記箱体の内部側面に具備された接触端子とで構成され、外径寸法の大きい方の電池が収納された場合は、同電池の側面が前記蓋と前記箱体の内部両側面と前記保持板とに当接して保持され、外径寸法の小さい方の電池が収納された場合は、同電池の側面が前記蓋と前記箱体の前記保持板が軸支された側の内部側面と前記保持板とに当接して保持されるようにする。
【０００６】
または、軸長が略同一で外径寸法の異なる二種類の電池が択一的に収納可能な電池ケースであって、前記電池を水平にして出し入れ可能な開放口を備えた有底状の箱体と、前記開放口を覆う蓋と、前記箱体の一方の内部側面に回動自在に軸支された逆Ｌ字形のガイド板と、二種類の前記電池の電極とそれぞれ対応し、前記箱体の内部側面に具備された接触端子とで構成され、外径寸法の大きい方の電池が収納された場合は、同電池の側面が前記蓋と前記箱体の内部側面に平行の位置に回動させた前記ガイド板と同ガイド板の軸支側の側面に対向する内部側面とに当接して保持され、外径寸法の小さい方の電池が収納された場合は、同電池の側面が略直角に回動された前記逆Ｌ字形のガイド板の内側の二辺と前記箱体の底面とに当接して保持されるようにする。
【０００７】
なお、前記ガイド板は、同ガイド板を軸支する内部側面と直角の位置に回動されたとき先端部が前記箱体の対向する内部側面に当接する長さに形成すると共に、前記内部側面の同先端部が当接する位置に凹部を形成し、同ガイド板が回動されたとき同ガイド板の先端部が前記凹部で係止されるようにする。
【０００８】
【発明の実施の形態】
以下、図面に基づいて本発明による電池ケースを詳細に説明する。
図１は本発明による電池ケースの一実施例を示す要部断面図で、外径寸法は異なるが軸長が略同じ寸法である単２形電池（大きい電池）と単３形電池（小さい電池）の何れでも収納できるもので、（イ）は単２形電池収納時、（ロ）は単３形電池収納時を示しており、それぞれの（ａ）は側断面図、（ｂ）はＡ−Ａ  ′断面図およびＢ−Ｂ  ′断面図である。図において、１は電池ケースの箱体、２は箱体１の上部開放口を覆う蓋、３は保持板、４はスプリング、５は単２電池用の接触端子（＋電極用、−電極用）、６は単３電池用の接触端子（同）、７は単２形電池、８は単３形電池、９は保持板３の支軸である。
【０００９】
図２は本発明による電池ケースの他の実施例を示す要部断面図で、（イ）は単２形電池収納時、（ロ）は単３形電池収納時を示しており、（ａ）と（ｃ）は上面図、（ｂ）はＡ−Ａ  ′断面図、（ｄ）はＢ−Ｂ  ′断面図である。図の１１は電池ケースの箱体、１２は蓋、１３はガイド板、１４はガイド板１３の回転軸、１５は凹部である。
【００１０】
以上の構成において、次にその動作を説明する。
図１の場合、保持板３の長さＣは箱体１内の短辺方向の幅Ｄと略同じで、一端が箱体１内の底部に支軸９で回動可能に軸支されている。箱体１内に電池が収納されていない場合、保持板３はスプリング４で上方に付勢されており、支軸９を軸にして先端側が斜め上方に跳ね上がっている。単２形の電池７を使用（収納）する場合、蓋２を開け、箱体１の上部開放口から電池７を水平にして挿入し、電池７の＋と−の電極がそれぞれ単２形電池用の接触端子５に接触する位置に挿着し、蓋２を被せる。これにより、（イ）に示す如く、保持板３は電池７の重みと蓋２の押圧とによってスプリング４が縮んで押下げられ、電池７は図の（イ）の位置に収納される。
単３形の電池８を収納する場合、（ロ）に示す如く、電池８は＋と−の電極がそれぞれ単３形電池用の接触端子６に接触する位置に挿着する。この場合、保持板３は支軸９を軸にして先端側が斜め上方に跳ね上がっているので、電池８は保持板３と蓋２と箱体１の側面とで挟持されて箱体上部のコーナー部に保持され、電池ケースがいかなる向きに置かれても電池８の位置がずれにくく、電極は接触端子６から外れにくいものとなる。保持板３の長さＣは箱体１内の短辺方向の幅Ｄと略同じなので、電池８が保持板３から外れることがない。なお、スプリング４はコイルバネを用いる。
【００１１】
図２の場合、箱体１１内の長辺側の一側面の央部に逆Ｌ字形のガイド板１３を回転軸１４で回動可能に軸支させて取付ける。箱体１１の内径は、ガイド板１３を箱体１１の長辺面（回転軸１４側）に平行の位置（図（イ）の位置）にしたとき単２形の電池が収納できる寸法にしておく。
単２形の電池７を収納する場合、蓋１２を開け、図（イ・ａ）の如くガイド板１３を回転軸１４側の側面に沿う位置に回動させ、電池７を挿着する。電池７の＋と−の電極をそれぞれ単２形電池用の接触端子５に接触させ、蓋１２を被せる。電池７は箱体１１の両側面と底面と蓋１２とで挟まれて保持される。
単３形の電池８を収納する場合、電池８を箱体１１内の底部の前記回転軸１４側と反対側のコーナー部に挿入し、＋と−の電極をそれぞれ単３形電池用の接触端子６に接触させる。そして、図（ロ・ｃ）に示す如く、ガイド板１３を点線の矢印で示すように回動させ、回転軸１４側の側面と略直角となる位置にする。これにより、図（ロ・ｄ）に示す如く、電池８はガイド板１３の内側の二辺と箱体１１の底部とで挟まれ、コーナー部に保持される。なお、ガイド板１３は図ロ・ｃの位置に回動したとき先端が箱体１１の回転軸１４に対向する側面に当接する長さ（十分届く長さ）とし、回転軸１４に対向する位置に凹部１５を形成しておく。これにより、ガイド板１３の先端部が凹部１５に入って係止されるので、電池ケースに振動や衝撃が加わってもガイド板１３が動かず、電池８が確実に保持される。
【００１２】
なお、上記では、単２形電池用の接触端子５と単３形電池用の接触端子６が別々になっている例で説明したが、接触端子５と６を一体に形成してもよい。また、上記は電池７または８を一本収納する場合で示したが、縦（箱体１、１１の長辺方向）に複数個連結させて使用できるようにしてもよい。これにより、緊急の場合に短い時間であれば単２形と単３形の電池を混用することも可能となる。
【００１３】
【発明の効果】
以上に説明したように、本発明による電池ケースによれば、電池ケースの内径寸法（箱体の内容積）は、外径寸法の大きい方の電池、すなわち単２形電池の外径寸法に保持板とスプリング（圧縮時）の容積、またはガイド板の容積を加えたもので済み、保持板やガイド板は薄板状のものでよく、この容積で外径寸法の小さい方の電池である単３形電池でも確実に収納することができ、電池ケースをいかなる方向に向けても電極が接触端子から外れにくい実用性の高いものである。
しかも、保持板を用いるものでは、単２形電池収納時には保持板が自動的に箱体内の底に押し込まれて電池が保持され、単３形電池収納時には保持板がスプリングで自動的に上方に付勢され、単３形電池は上部のコーナー部に保持される。
また、逆Ｌ字形のガイド板を用いるものでは、ガイド板は簡単に回動できるので電池が単２形でも単３形でも操作が容易であり、単３形の挿着でガイド板を回動させたときガイド板は先端部が凹部に入って係止されるのでガイド板の位置がずれる恐れがなく、単３形電池は底部のコーナー部に保持される。このように、何れの場合も従来のように別にアダプタを具備する必要のない便利なものである。
【図面の簡単な説明】
【図１】本発明による電池ケースの一実施例を示す要部断面図で、（イ）は単２形電池収納時、（ロ）は単３形電池収納時を示す。
【図２】本発明による電池ケースの他の実施例を示す要部断面図で、（イ）は単２形電池収納時、（ロ）は単３形電池収納時を示す。
【図３】従来の電池ケースの一例の要部断面図である。
【図４】従来の電池ケースのアダプタの一例を示す図である。
【符号の説明】
１、１１、２１  箱体
２、１２、２２  蓋
３  保持板
４、２４  スプリング
５  単２形電池用の接触端子
６  単３形電池用の接触端子
７  単２形電池
８  単３形電池
９  支軸
１３  ガイド板
１４  回転軸
１５  凹部
２３  底板
３１  アダプタ
【図１】
2004172022.tif 000003
【図２】
2004172022.tif 000004
【図３】
2004172022.tif 000005
【図４】
2004172022.tif 000006